(57)【要約】【課題】屋根と、屋根の勾配方向とは直角な方向の端部に対向する壁との接続部分の軒先において、雨押えおよび軒先水切りを伝って外壁に浸水するのを防ぐことができる壁止まり部材を提供する。【解決手段】本発明は、屋根１と、この屋根１の勾配方向とは直角な方向の端部に対向した外壁３との接続部分に取り付けられた雨押え５の軒側の端部に固定される壁止まり部材４である。壁止まり部材４は、雨押え５の軒側の先端に対向配置された止水板部４２と、この止水板部４２の下端部に設けられ軒先水切り１５の長手方向の端部を下方及び外壁３側から覆う水切り収容部４３と、この水切り収納部から屋根１側に突出し屋根材１１と屋根下地１２との間に配置される載置部４８とを備えている。【選択図】図１
2015068104.tif 000002
【特許請求の範囲】
【請求項１】
屋根下地と屋根材とを有し軒先に軒先水切り及び軒樋が取り付けられた屋根と、
この屋根の勾配方向とは直角な方向の端部に対向した外壁と
の接続部分に取り付けられた雨押えの軒側の端部に固定される壁止まり部材であって、
前記雨押えの軒側の先端に対向配置され、前記雨押えの上面よりも上方に突出して当該雨押えの上面を流下した雨水を前記軒樋に流下させる止水板部と、
この止水板部の下端部に設けられ前記軒先水切りの長手方向の端部を下方及び外壁側から覆い、前記軒樋上に開口した開口部を有する水切り収容部と、
この水切り収納部から屋根側に向かって突出し前記屋根下地と前記軒先水切りとの間に配置される載置部と
を備えている
ことを特徴とする壁止まり部材。
【請求項２】
前記水切り収容部の底面は、前記開口部に向かうほど下方に位置するように傾斜している
ことを特徴とする請求項１記載の壁止まり部材。
【発明の詳細な説明】
【技術分野】
【０００１】
本発明は、壁止まり部材に関し、より詳細には、屋根と、屋根の勾配方向とは直角な方向の端部に対向する壁との接続部分に取り付けられた雨押えの軒側の端部に固定される壁止まり部材に関するものである。
【背景技術】
【０００２】
特許文献１には、屋根と、屋根の勾配方向（つまり軒棟方向）とは直角な方向の端部に対向する壁との接続部分の構造が開示されている。この特許文献１記載の構造は、下屋根と、この下屋根の勾配方向とは直角な方向の端部に対向する上階側外壁とを備えている。この下屋根と上階側外壁との接続部分には、雨押え水切りが取り付けられている。
【０００３】
この雨押え水切りは、屋根の勾配方向の全長に亙って設けられている。雨押え水切りの軒側の端部には、一般に、壁止まり役物が取り付けられる。
【０００４】
壁止まり役物７は、図１０（ａ）に示すように、上階側外壁に取り付けられる縦片７１と、屋根下地８に固定される横片７２と、縦片７１の軒側の先端と横片７２の軒側の先端とに連設された前片７３とを備えている。縦片７１と横片７２，横片７２と前片７３、前片７３と縦片７１は、それぞれが互いに略直角となるように形成されている。
【０００５】
この壁止まり役物７は、次のようにして取り付けられる。図１０（ｂ）に示すように、屋根下地８の上面に軒先水切り８１が取り付けられる。軒先水切り８１は、屋根下地８の軒先に沿って固定される。この後、この軒先水切り８１の上面に接触するようにして壁止まり役物７が取り付けられる。この後、屋根下地８及び軒先水切り８１の上方に、屋根材９が設置される。この状態で、屋根材９と上階側外壁との間の入隅部に雨押え水切り８２が取り付けられる。
【０００６】
施工された状態では、壁止まり役物７の前片７３が雨押え水切り８２の軒側の先端に対向配置される。この前片７３は、雨押え水切り８２の上面よりも上方に突出している。これにより、雨押え水切り８２の上面を流下する雨水は、前方に落下せずに前片７３に導かれて軒樋内に流下する。
【先行技術文献】
【特許文献】
【０００７】
【特許文献１】特開２００９−２７０３３５号公報
【発明の概要】
【発明が解決しようとする課題】
【０００８】
ところで、この従来の構造では、壁止まり役物７の前片７３に導かれた雨水は、大部分が軒樋に向かって落下するが、一部が軒先水切り８１に付着する場合がある。また、屋根を伝って流下する雨水等も軒先水切り８１に付着する。
【０００９】
この場合、軒先水切り８１は壁止まり役物７の下方に配置されているため、軒先水切り７を伝って外壁側に移動した雨水は、外壁にまで移動して浸水の原因となる可能性がある。
【００１０】
本発明は、上記事情に鑑みてなされたものであり、その目的とするところは、屋根と、屋根の勾配方向とは直角な方向の端部に対向する壁との接続部分の軒先において、雨押えおよび軒先水切りを伝って外壁に浸水するのを防ぐことができる壁止まり部材を提供することにある。
【課題を解決するための手段】
【００１１】
本発明の壁止まり部材は、屋根下地と屋根材とを有し軒先に軒先水切り及び軒樋が取り付けられた屋根と、この屋根の勾配方向とは直角な方向の端部に対向した外壁との接続部分に取り付けられた雨押えの軒側の端部に固定される壁止まり部材であって、前記雨押えの軒側の先端に対向配置され、前記雨押えの上面よりも上方に突出して当該雨押えの上面を流下した雨水を前記軒樋に流下させる止水板部と、この止水板部の下端部に設けられ前記軒先水切りの長手方向の端部を下方および外壁側から覆い、前記軒樋上に開口した開口部を有する水切り収容部と、この水切り収納部から屋根側に向かって突出し前記屋根材と前記屋根下地との間に配置される載置部とを備えていることを特徴とする。
【００１２】
またこの壁止まり部材において、前記水切り収容部の底面は、前記開口部に向かうほど下方に位置するように傾斜していることが好ましい。
【発明の効果】
【００１３】
本発明の壁止まり部材によれば、軒先水切りの端部に水切り収容部が配置され、雨押えの軒側の先端に止水板部が配置されているため、雨押えおよび軒先水切りを伝った雨水を軒樋に流下させることができる。この結果、本発明の壁止まり部材によれば、屋根と、屋根の勾配方向とは直角な方向の端部に対向する壁との接続部分の軒先において、雨押えおよび軒先水切りを伝って外壁に浸水するのを防ぐことができる。
【図面の簡単な説明】
【００１４】
【図１】本実施形態の壁止まり部材が取り付けられた状態の斜視図である。
【図２】本実施形態の壁止まり部材が取り付けられた状態の側断面図である。
【図３】本実施形態の壁止まり部材の斜視図である。
【図４】本実施形態の壁止まり部材であり（ａ）は平面図であり（ｂ）は正面図である。
【図５】本実施形態の壁止まり部材の取付方法を説明するための斜視図である。
【図６】本実施形態の壁止まり部材の取付方法を説明するための斜視図である。
【図７】本実施形態の壁止まり部材の取付方法を説明するための斜視図である。
【図８】本実施形態の壁止まり部材の取付方法を説明するための平面図である。
【図９】本実施形態の壁止まり部材が取り付けられた状態の正面断面図である。
【図１０】（ａ）（ｂ）は、従来の壁止まり部材の取付方法を示す斜視図である。
【発明を実施するための形態】
【００１５】
以下、本発明の実施形態について添付図面に基づいて説明する。
【００１６】
本実施形態の壁止まり部材４は、図１に示すように、屋根１と、この屋根１の勾配方向とは直角な方向の端部に対向した外壁３との接続部分に取り付けられる。具体的に、壁止まり部材４は、屋根１と外壁３との入隅部に取り付けられた雨押え５の軒側の端部に取り付けられる。
【００１７】
屋根１は、例えば、棟違い屋根によって構成される。屋根１は、図２に示すように、屋根下地１２と、屋根下地１２に葺かれた屋根材１１と、軒先水切り１５とを備えている。屋根下地１２は、屋根材１１を支持する。屋根下地１２は、例えば、母屋（図示せず）と、垂木（図示せず）と、野地板１３と、鼻板１４とを備えている。なお、野地板１３は、垂木上に配置される。
【００１８】
屋根材１１は、例えば、金属屋根によって構成される。屋根材１１は、例えば、折板屋根材や、軒方向に凹凸が繰り返し形成された凹凸屋根材などによって構成される。本実施形態の屋根材１１は、図１に示すように、金属製の凹凸屋根材によって構成される。屋根材１１は、屋根勾配方向（本実施形態においては、軒棟方向）に長さを有し、屋根勾配方向に直角な方向（以下、軒方向という）に幅を有している。屋根材１１の長さは、軒棟方向の全長に亙って連続している。また、屋根材１１は、幅方向に並ぶように複数配置されている。
【００１９】
軒先水切り１５は、屋根材１１の軒先に沿って長さを有している。軒先水切り１５は、図２に示すように、屋根固定片１６と、屋根固定片１６の軒先側の端部から下方に向って突出した水切り片１７とを備えている。屋根固定片１６と水切り片１７とは、略直交している。屋根固定片１６は、屋根下地１２（野地板１３）に固定される。水切り片１７は、屋根固定片１６が屋根下地１２に固定されると、野地板１３の軒側の先端および鼻板１４に対向する。なお、軒先水切り１５は、曲げ加工により一体に成形されている。
【００２０】
屋根１の鼻板１４には、控え具（図示せず）を介して軒樋２が取り付けられている。軒樋２は、図１に示すように、断面略Ｕ字状をしている。軒樋２は、屋根材１１の軒先下方に配置され、これにより、屋根１から流下する雨水を受けることができるように構成されている。
【００２１】
このような屋根１と外壁３とにより形成される入隅部の軒側端部には、壁止まり部材４が取り付けられる。
【００２２】
壁止まり部材４は、図３に示すように、壁側板部４１と、止水板部４２と、水切り収容部４３と、載置部４８と、筒部４９とを備えている。壁止まり部材４は、鋼板等の金属板によって構成されている。
【００２３】
壁側板部４１は、外壁３の壁面と平行に配置され、当該外壁３に固定される。壁側板部４１は、上下方向に幅を有し、屋根勾配方向に長さを有している。壁側板部４１の幅方向の上端は、後述の雨押え５の上面よりも上方に位置している。
【００２４】
止水板部４２は、壁側板部４１の軒側の先端から軒先に沿って延出している。止水板部４２は、上下方向に幅を有し、軒先に沿って長さを有している。止水板部４２の上端は、壁側板部４１の上端と面一となっている。止水板部４２は、図４（ａ）に示すように、平面視において、壁側板部４１に対して直角な位置から軒先側に向かって傾斜している。つまり、止水板部４２は、壁側板部４１から離れるほど、屋根勾配方向の下流側に位置するように傾斜している。
【００２５】
水切り収容部４３は、図３に示すように、止水板部４２の下端部から下方に向って延出している。水切り収容部４３は、前板部４４と、底面部４５と、後板部４６とを備えており、前板部４４および底面部４５および後板部４６が断面略Ｕ字状に形成される。水切り収容部４３は、軒方向に幅を有し、屋根勾配方向に奥行を有している。水切り収容部４３の前板部４４と止水板部４２とは、一枚の金属板によって構成されており、上下に連続している。前板部４４の幅は、止水板部４２の幅よりも短く形成されており、言い換えると、止水板部４２の幅は、前板部４４の幅よりも長く形成されている。
【００２６】
水切り収容部４３の幅方向の外壁３側の端部は、壁側板部４１によって閉じられている。水切り収容部４３の幅方向のうち、外壁３側とは反対側の端部には、開口部４７が設けられている。この開口部４７は、軒樋２の上方に位置している。
【００２７】
水切り収容部４３の底面部４５は、図４（ｂ）に示すように、開口部４７に向かうほど下方に位置するように傾斜している。これにより、水切り収容部４３内に流れ込んだ雨水は、底面部４５の上面（底面）を流下して軒樋２に流れ込む。
【００２８】
載置部４８は、図３に示すように、水切り収容部４３の後板部４６の上端から、屋根勾配方向の上流側（棟側）に向かって突出している。載置部４８は、屋根下地１２と軒先水切り１５の屋根固定片１６との間に配置され、屋根下地１２に固着具を介して固定される。なお、載置部４８の外壁３側の端部は、壁側板部４１に接続されている。
【００２９】
筒部４９の軒側の端部は、止水板部４２に固定されている。筒部４９は、屋根勾配方向の上流側に向かって開口している。筒部４９には、後述のように、屋根１と外壁３との入隅部に配置される受け桟６１が挿入される。筒部４９の下面は、載置部４８とは離間している。筒部４９の下面と載置部４８との間には、図６に示すように、屋根材１１の軒先側端部と軒先水切り１５とが配置される。
【００３０】
このような構成の壁止まり部材４は、例えば、次のようにして取り付けられる。
【００３１】
施工者は、図５に示すように、野地板１３の上面の外壁３側の端部に、壁止まり部材４の載置部４８を載置する。このとき、施工者は、壁側板部４１を外壁３の壁面に接触させ、固着具を介して外壁３に固定する。
【００３２】
なお、本実施形態の載置部４８は、野地板１３に載置されただけであるが、固着具を介して固定されてもよい。
【００３３】
次いで、施工者は、図６に示すように、筒部４９と載置部４８との間に、受け桟６１の端部を挿入する。また、野地板１３の軒側の端部に、軒先に沿って軒先水切り１５を取り付ける。このとき、施工者は、軒先水切り１５の長手方向の端部を水切り収容部４３に、開口部４７から挿入する。すると、軒先水切り１５の外壁３側の端部は、水切り収容部４３によって下方及び外壁３側から覆われる。次いで、施工者は、図７に示すように、屋根材１１を取り付ける。施工者は、屋根材１１の外壁３側の軒先端部を、筒部４９と載置部４８との間に配置する。
【００３４】
この後、施工者は、図１に示すように、筒部４９に被せるようにして、雨押え５を取り付ける。
【００３５】
雨押え５は、図９に示すように、本体部５１と、載置片５２と、立上片５３とを備えている。本体部５１は、軒方向に幅を有し、屋根勾配方向に長さを有している。載置片５２は、断面Ｌ字状をしている。載置片５２は、本体部５１の幅方向の外壁３側とは反対側の端部に設けられている。立上片５３は、載置片５２の幅方向の外壁３側の端部に設けられている。立上片５３は、本体部５１から上方に向かって突出している。立上片５３および載置片５２は、本体部５１の長さ方向の全長に亙って設けられている。
【００３６】
雨押え５は、次のようにして取り付けられる。施工者は、図７，８に示すように、受け桟６１に載せるようにして桟木６２の端部を筒部４９内に挿入する。桟木６２は、屋根勾配方向の全長に亙って設けられる。施工者は、雨押え５の本体部５１を桟木６２の上面と、筒部４９の上面とに重ねるようにして、雨押え５を配置する（図９参照）。この状態で施工者は、載置片５２の側方から固着具を打ち込み、桟木６２に載置片５２を固定する。また、施工者は、立上片５３の側方から固着具を打ち込み、外壁３に立上片５３を固定する。
【００３７】
すると、本体部５１は、図１に示すように、筒部４９の上面に重ねられ、立上片５３は、壁止まり部材４の壁側板部４１の外壁３側とは反対側の面に重ねられる。また、雨押え５の軒側の先端は、止水板部４２に対向配置される。止水板部４２は、雨押え５の本体部５１の上面よりも上方に突出した状態となり、雨押え５の上面を伝って流下する雨水を軒樋２側に向かって流下させることができるようになる。
【００３８】
軒先水切り１５に雨水が付着し、雨水が風雨等によって軒先水切り１５を伝って外壁３側に移動すると、その雨水は、水切り収容部４３内に流れ込む。この後、雨水は、水切り収容部４３の底面を伝って開口部４７側に流下し、軒樋２内に流れ込む。また、雨押え５の上面に雨水が付着すると、雨水は、屋根１勾配に沿って流下する。すると、雨水は、止水板部４２に堰き止められ、その後、止水板部４２の傾斜に沿って流下し、軒樋２内に流下する。これにより、雨押え５と水切りとに付着した雨水は、風雨等によって移動したとしても、外壁３側や屋根下地１２に浸水しにくい。
【００３９】
以上、説明したように本実施形態の壁止まり部材４は、屋根１と外壁３との接続部分に取り付けられた雨押え５の軒側の端部に固定される。屋根１は、屋根下地１２と屋根材１１とを有しており、軒先に軒先水切り１５及び軒樋２が取り付けられている。外壁３は、屋根１の勾配方向とは直角な方向の端部に対向する。本実施形態の壁止まり部材４は、止水板部４２と、水切り収容部４３と、載置部４８とを備えている。止水板部４２は、雨押え５の軒側の先端に対向配置される。また止水板部４２は、雨押え５の上面よりも上方に突出し、当該雨押え５の上面を流下した雨水を軒樋２に流下させる。水切り収容部４３は、止水板部４２の下端部に設けられており、軒先水切り１５の長手方向の端部を下方および外壁３側から覆う。また、水切り収容部４３は、軒樋２上に開口した開口部４７を有している。載置部４８は、この水切り収納部から屋根１側に向かって突出し、屋根下地１２と軒先水切り１５との間に配置される。
【００４０】
このため、本実施形態の壁止まり部材４によれば、止水板部４２が雨押え５の軒側の端部に対向配置されているため、雨押え５を伝って流下する雨水を軒樋２に流し込むことができる。その上、本実施形態の壁止まり部材４は、軒先水切り１５の下方を覆うため、軒先水切り１５を伝って移動する雨水が外壁３側に浸水するのを防ぐことができる。この結果、本実施形態の壁止まり部材４によれば、屋根１と、屋根１の勾配方向とは直角な方向の端部に対向する壁との接続部分の軒先において、雨押え５および軒先水切り１５を伝って外壁３に浸水するのを防ぐことができる。
【００４１】
また、本実施形態の水切り収容部４３の底面は、開口部４７に向かうほど下方に位置するように傾斜している。
【００４２】
このため、本実施形態の壁止まり部材４は、水切り収容部４３に流れ込んだ雨水を、軒樋２に排水することができる。
【００４３】
また、本実施形態の壁止まり部材４は、止水板部４２の幅は、水切り収容部４３の幅よりも幅広に形成されている。
【００４４】
このため、雨押え５の上面だけでなく、側面（載置片５２）を伝って流下した雨水も、止水板部４２によって軒樋２に流し込むことができる。
【００４５】
また、本実施形態の壁止まり部材４において、雨押え５を筒部４９に重ねた状態で、側方から固着具を打ち込むことが好ましい。これにより、壁止まり部材４と雨押え５とをより強固に固定することができる。
【符号の説明】
【００４６】
１      屋根
１１    屋根材
１２    屋根下地
１３    野地板
１５    軒先水切り
２      軒樋
３      外壁
４      壁止まり部材
４１    壁側板部
４２    止水板部
４３    水切り収容部
４８    載置部
４９    筒部
５      雨押え
５１    本体部
５２    載置片
５３    立上片
【図１】
2015068104.tif 000003
【図２】
2015068104.tif 000004
【図３】
2015068104.tif 000005
【図４】
2015068104.tif 000006
【図５】
2015068104.tif 000007
【図６】
2015068104.tif 000008
【図７】
2015068104.tif 000009
【図８】
2015068104.tif 000010
【図９】
2015068104.tif 000011
【図１０】
2015068104.tif 000012